【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
回路ブレーカの開放接点を挟む通信を容易にする方法であって、
前記回路ブレーカの接点を挟んで通信インターフェースを接続するステップであって、前記通信インターフェースは、前記回路ブレーカが接続される回路の線路側の通信経路と前記回路の負荷側の通信経路との間に接続可能である、ステップと、
前記通信インターフェースを、前記接点が開放であるか閉鎖であるかとは無関係に、前記回路の線路側の通信経路と前記負荷側の通信経路との間で信号を通過させるように構成するステップと、
を含むことを特徴とする方法。
【請求項２】
請求項１記載の方法において、前記接点が開放及び閉鎖である少なくとも２つの状態のどちらにあるかを検出するステップを更に含むことを特徴とする方法。
【請求項３】
請求項１記載の方法において、前記通信インターフェースは電力線通信（ＰＬＣ）モジュールであることを特徴とする方法。
【請求項４】
請求項１記載の方法において、前記信号はＰＬＣメッセージを含むことを特徴とする方法。
【請求項５】
請求項１記載の方法において、前記信号はイーサネット（登録商標）フォーマットされたパケットを含むことを特徴とする方法。
【請求項６】
請求項１記載の方法において、前記通信インターフェースをＤＣ電圧源に接続するステップを更に含むことを特徴とする方法。
【請求項７】
請求項１記載の方法において、
コントローラを前記通信インターフェースに動作的に結合するステップと、
前記コントローラを前記回路の前記線路側の通信経路と前記負荷側の通信経路との間で前記通信インターフェースを介して前記信号を送受信するようにプログラムするステップと、
を更に含むことを特徴とする方法。
【請求項８】
請求項７記載の方法において、前記接点に動作的に結合されたモータに前記コントローラを結合するステップと、前記コントローラを前記モータを介して開放位置と閉鎖位置との間で前記接点を移動させるようにプログラムするステップと、を更に含むことを特徴とする方法。
【請求項９】
請求項７記載の方法において、前記コントローラを前記回路ブレーカの中に設置されたＤＣ電圧源に接続するステップを更に含むことを特徴とする方法。
【請求項１０】
請求項７記載の方法において、前記コントローラは、前記回路ブレーカが接続可能な前記回路の前記負荷側を流れる電流を表す信号を受け取るように構成された感知回路を含むことを特徴とする方法。
【請求項１１】
請求項７記載の方法において、前記コントローラは、更に、前記回路ブレーカの故障スレショルド・レベルを動的に変更するようにプログラムされていることを特徴とする方法。
【請求項１２】
請求項７記載の方法において、前記コントローラは、更に、前記回路ブレーカの動作電流スレショルド・レベルを動的に変更するようにプログラムされていることを特徴とする方法。
【請求項１３】
請求項７記載の方法において、前記コントローラは、更に、前記回路ブレーカのトリップ・スレショルド・レベルを動的に調整するようにプログラムされていることを特徴とする方法。
【請求項１４】
請求項７記載の方法において、前記コントローラは、更に、前記回路の前記線路側の通信経路から前記通信インターフェースを介して通信されたＰＬＣメッセージを受け取ることに応答して前記接点を開放させるようにプログラムされていることを特徴とする方法。
【請求項１５】
請求項１４記載の方法において、前記コントローラは、占有度、電力のコスト、１日の中の時刻の価格及びリアルタイムの価格から構成されるグループから選択される基準に基づいて前記接点を開放させることを特徴とする方法。
【請求項１６】
請求項７記載の方法において、前記コントローラは、更に、前記回路の前記線路側の差し迫った節電条件を検出し、前記検出に応答して前記接点を開放するようにプログラムされていることを特徴とする方法。
【請求項１７】
請求項７記載の方法において、適応型負荷管理アルゴリズムに基づいて前記回路に接続された少なくとも１つの中断可能な負荷をシーケンス化するように前記コントローラを更にプログラムするステップを更に含むことを特徴とする方法。
【請求項１８】
請求項７記載の方法において、適応型負荷管理アルゴリズムを実行し、前記回路に接続された少なくとも１つの中断可能な負荷を一時的にシャットダウンして別の回路に接続された開始電流が高い負荷のために余分の電力を提供するように前記コントローラを更にプログラムするステップを更に含むことを特徴とする方法。
【請求項１９】
請求項７記載の方法において、適応型負荷管理アルゴリズムを実行して前記接点を前記回路に接続された負荷と関連付けされた優先順位に基づいて開閉するように前記コントローラを更にプログラムするステップを更に含むことを特徴とする方法。
【請求項２０】
請求項７記載の方法において、前記コントローラは、更に、エネルギ・コストが高い時間周期の少なくとも一部の間は前記接点を開放させるようにプログラムされていることを特徴とする方法。
【請求項２１】
請求項７記載の方法において、前記コントローラは、更に、ニューラルネットワークの予測器アルゴリズムを用いて前記回路に接続された少なくとも１つの負荷の行動を実質的に予測するようにプログラムされていることを特徴とする方法。
【請求項２２】
請求項７記載の方法において、前記コントローラは、更に、前記回路がバックアップ電源によって給電されているときは前記回路に接続された負荷を適応的に管理するようにプログラムされていることを特徴とする方法。
【請求項２３】
複数の負荷を適応的に管理する方法であって、
複数の負荷に接続可能な複数の回路ブレーカに結合されたコントローラを用いて、少なくとも１つの基準に基づいて前記回路ブレーカに接続可能な負荷の少なくとも複数に優先順位を付けるステップと、
前記複数の回路ブレーカの中の少なくとも１つの接点を、前記優先順位付けに基づいて、開放位置と閉鎖位置との間で遠隔的に移動させるステップと、
を含むことを特徴とする方法。
【請求項２４】
請求項２３記載の方法において、少なくとも１つの優先順位付けされた負荷の使用基準を反映する履歴データの集合を作成するステップを更に含むことを特徴とする方法。
【請求項２５】
請求項２４記載の方法において、履歴データの前記集合に基づいて負荷の将来の消費を予測するステップを更に含むことを特徴とする方法。
【請求項２６】
請求項２３記載の方法において、電源条件の変化に応答して第１の電源から前記第１の電源とは異なる第２の電源に切り替えるステップを更に含むことを特徴とする方法。
【請求項２７】
請求項２３記載の方法において、前記優先順位付けされた負荷の中の少なくとも１つの状態を記憶するステップを更に含むことを特徴とする方法。
【請求項２８】
請求項２３記載の方法において、第１の負荷は中断可能な負荷であり、第２の負荷は開始電流要件が高い負荷であり、前記第１の負荷をシャットダウンして追加的な電力を前記第２の負荷に提供するステップを更に含むことを特徴とする方法。
【請求項２９】
請求項２３記載の方法において、バックアップ電源が切り替えられたことに応答してオンされる負荷の所定の集合を確立するステップと、前記優先順位付けに従って負荷の少なくとも１つの優先順位に基づいて負荷の前記所定の集合を決定するステップと、を更に含むことを特徴とする方法。
【請求項３０】
請求項２３記載の方法において、消費電力の全体を所定の電源限度に維持しながら負荷の数を最大化する制限電源モードに入るステップを更に含むことを特徴とする方法。
【請求項３１】
請求項２３記載の方法において、
悪天候条件の指示を受け取るステップと、
前記回路ブレーカの中の１つのコントローラに信号を通信し、その接点を開放させることにより、前記回路ブレーカの中の前記１つに接続された負荷を前記悪天候条件の影響から保護するステップと、
を更に含むことを特徴とする方法。
【請求項３２】
請求項２３記載の方法において、
前記回路ブレーカの中の１つの接点を挟んで通信インターフェースを接続し、前記通信インターフェースが、前記回路ブレーカの中の前記１つが接続された回路の線路側と負荷側との間に接続可能とするステップと、
前記通信インターフェースを、前記回路ブレーカの中の前記１つの接点が開放か閉鎖かを問わずに前記線路側と前記負荷側との間で信号を通過させるように構成するステップと、
を更に備えていることを特徴とする方法。
【請求項３３】
請求項２３記載の方法において、前記接点が、開放と閉鎖との少なくとも２つの状態のどちらにあるかを検出するステップを更に含むことを特徴とする方法。
【請求項３４】
請求項２３記載の方法において、前記回路ブレーカの１つの故障スレショルド・レベルを動的に変更するステップを更に含むことを特徴とする方法。
【請求項３５】
請求項２３記載の方法において、園回路ブレーカの動作電流スレショルド・レベルを動的に変更するステップを更に含むことを特徴とする方法。
【請求項３６】
請求項２３記載の方法において、前記回路ブレーカのトリップ・スレショルドを動的に調整するステップを更に含むことを特徴とする方法。
【請求項３７】
請求項２３記載の方法において、前記回路の線路側の差し迫った節電条件を検出し、前記検出に応答して、前記回路ブレーカの少なくとも１つのの接点を開放させるステップを更に含むことを特徴とする方法。
【請求項３８】
請求項２３記載の方法において、ニューラルネットワーク予測器アルゴリズムを用いて前記負荷の少なくとも１つの行動を予測するステップを更に含むことを特徴とする方法。
【請求項３９】
請求項２３記載の方法において、前記優先順位付けと前記移動させるステップとは、電源条件の変化を求めるソースとは無関係に実行されることを特徴とする方法。
【請求項４０】
請求項３９記載の方法において、前記ソースは、ユーティリティ電源と代替電源とバックアップ電源とから構成されるグループから選択されることを特徴とする方法。
【請求項４１】
請求項４０記載の方法において、前記代替電源はソーラ・パネルを含むことを特徴とする方法。
【請求項４２】
請求項４０記載の方法において、前記バックアップ電源は発電機を含むことを特徴とする方法。
【請求項４３】
請求項４０記載の方法において、前記バックアップ電源は中断不可能な電源を含むことを特徴とする方法。
【請求項４４】
請求項１記載の方法において、前記線路側の通信経路と前記負荷側の通信経路との両方が閉鎖であることを特徴とする方法。
【請求項４５】
請求項１記載の方法において、前記線路側の通信経路と前記負荷側の通信経路との両方が双方向型であることを特徴とする方法。
【請求項４６】
請求項４５記載の方法において、前記通信インターフェースは、前記線路側の通信経路と前記負荷側の通信経路とのそれぞれにおける受信用の電力線カプラと送信用の電力線カプラとを含むことを特徴とする方法。
【請求項４７】
請求項１記載の方法において、前記通信インターフェースは信号を受信し送信するという点で能動的な通信インターフェースであることを特徴とする方法。